(57)【特許請求の範囲】
【請求項１】
着用者の少なくとも下腹部を覆う男性用下半身衣類であって、
陰茎及び陰嚢に対応する部分に配置された中央部と、当該中央部の左右両側に配置された一対の前脇部とを有する本体身頃と、
前記中央部の前記着用者の肌側に配置され、前記陰茎及び前記陰嚢を覆う当て布と、を備え、
前記当て布の上端部と前記本体身頃の前記中央部の上端部とを接合する第１の接合部と、
前記当て布の左右方向の端部と前記本体身頃とを接合する左右一対の第２の接合部と、
前記当て布の下端部と前記本体身頃の前記中央部の下端側部分とを接合する第３の接合部と、を有し、
前記当て布の左右方向の両端部の前記第２の接合部より下方の部分が、前記本体身頃に対して遊離している、
男性用下半身衣類。
【請求項２】
前記本体身頃の前記中央部と前脇部は、それぞれ別の部材で形成され、
前記本体身頃は、前記中央部と前記前脇部とを接合した本体接合部を有し、
前記当て布の左右方向の端部は、前記本体接合部に接合されている、
請求項１に記載の男性用下半身衣類。
【請求項３】
前記当て布の左右方向の両端部の前記第２の接合部より上方の部分が、前記本体身頃に対して遊離している、
請求項１または２に記載の男性用下半身衣類。
【請求項４】
前記当て布の上端部の左右方向の中央部分が、前記本体身頃に対して遊離している、
請求項１から３のいずれか１項に記載の男性用下半身衣類。
【請求項５】
前記本体身頃は、前記着用者の臀部を覆う後身頃を備えており、
前記本体身頃の前記中央部及び前記当て布は、陰茎及び陰嚢を保持するために前方に膨出するように形成され、
前記本体身頃の後身頃の下端部と中央部の下端部とを接合する股下接合部を有し、
当該股下接合部に前記当て布の前記下端部が接合され、
着用者の立位状態において、前記股下接合部は、左右方向の中央の最下点を通るように延在する、
請求項１から４のいずれか１項に記載の男性用下半身衣類。
【発明の詳細な説明】
【技術分野】
【０００１】
本発明は、男性用下半身衣類に関する。
【背景技術】
【０００２】
従来、このような分野の技術として、下記特許文献１に記載の裏地付きパンツが知られている。この裏地付きパンツは、トランクス型またはブリーフ型パンツにおいて、中央部分にボリュームのあるビキニ形状の裏地が設けられているものである。このビキニ形状の裏地は、下端部がパンツの股下縫合部に取り付けられ、上端部がパンツの脇縫合部に取り付けられている。
【先行技術文献】
【特許文献】
【０００３】
【特許文献１】登録実用新案第３０５２１１１号公報
【発明の概要】
【発明が解決しようとする課題】
【０００４】
従来の例えば、トランクス型パンツ、ブリーフ型パンツ、ステテコなどの男性用下半身衣類では、図１０に示すように、着用者が立位（図１０（ａ））から着座状態（図１０（ｂ））へ姿勢変化する際に、前身頃の陰茎周辺部の身生地に、皺がよってしまい、陰茎、陰嚢が左右何れかにずれることにより、着用感が阻害されるおそれがある。従来の特許文献１に記載の男性用下半身衣類においても、陰茎、陰嚢がずれることがあり、十分にずれを防止することができなかった。
【０００５】
本発明は、このような課題を解決するために成されたものであり、立位から着座状態への姿勢変化の際に、陰茎、陰嚢を左右方向の中央に保持し、陰茎または陰嚢がずれてしまうことを抑制可能な男性用下半身衣類を提供することを目的とする。
【課題を解決するための手段】
【０００６】
本発明は、着用者の少なくとも下腹部を覆う男性用下半身衣類であって、陰茎及び陰嚢に対応する部分に配置された中央部と、当該中央部の左右両側に配置された一対の前脇部とを有する本体身頃と、中央部の着用者の肌側に配置され、陰茎及び陰嚢を覆う当て布と、を備え、当て布の上端部と本体身頃の中央部の上端部とを接合する第１の接合部と、当て布の左右方向の端部と本体身頃とを接合する左右一対の第２の接合部と、当て布の下端部と本体身頃の中央部の下端部側部分とを接合する第３の接合部と、を有し、当て布の左右方向の両端部の第２の接合部より下方の部分が、本体身頃に対して遊離している、男性用下半身衣類を提供する。
【０００７】
この構成の男性用下半身衣類では、陰茎及び陰嚢を覆う当て布の上端部が、本体身頃の中央部の上端部に接合されている（第１の接合部）。そのため、当て布の付勢力によって、陰茎、陰嚢を肌側へ付勢することができる。このため、陰茎、陰嚢の位置が中央部に安定的に保持される。この結果、陰茎、陰嚢の位置ずれを抑制することができる。
【０００８】
また、当て布の左右方向の両端部がそれぞれ、本体身頃の中央部に接合されている（第２の接合部）。これにより、当て布の左右方向の移動が拘束され、陰茎、陰嚢の左右方向の位置ずれが抑制される。
【０００９】
当て布の下端部が、本体身頃の下端部に接合されている（第３の接合部）。これにより、当て布の下部側の移動が拘束され、陰茎、陰嚢の左右方向及び上下方向の位置ずれが抑制される。
【００１０】
ここで、当て布の左右方向の両端部は、第２の接合部より下方の部分が、本体身頃に対して遊離している。すなわち、第２の接合部と第３の接合部との間で当て布が、本体身頃に対して移動可能となっている。そのため、立位から着座状態に姿勢変化する際に、本体身頃の皺の発生の影響を緩和することができる。本体身頃に皺が発生しても、当て布は本体身頃に対して移動可能であるため、陰茎、陰嚢の位置ずれを抑制することができる。
【００１１】
同様に、その他の運動時においても、本体身頃の皺の当て布に対する影響が緩和されるので、陰茎、陰嚢の位置ずれを抑制することができる。
【００１２】
本体身頃の中央部と前脇部は、それぞれ別の部材で形成され、本体身頃は、中央部と前脇部とを接合した本体接合部を有し、当て布の左右方向の端部は、本体接合部に接合されている、構成でもよい。この構成では、本体身頃の接合部（本体接合部）と当て布の接合部（第２の接合部）とが同一の接合部として形成されるため、接合部が増加することを防止することができる。例えば、縫合作業の工程を減らすことができる。また、接合部を減らすことで、着用感を損ねるおそれを低減することができる。
【００１３】
本発明の男性用下半身衣類は、当て布の左右方向の両端部の第２の接合部より上方の部分が、本体身頃に対して遊離している構成でもよい。すなわち、第１の接合部と第２の接合部との間で当て布が、本体身頃に対して移動可能となっている。これにより、本体身頃の皺の影響が効果的に軽減されるので、当て布に皺が生じることが抑制されて、姿勢変化に伴う陰茎、陰嚢の位置ずれが抑制される。
【００１４】
本発明の男性用下半身衣類は、当て布の上端部の左右方向の中央部分が、本体身頃に対して遊離している構成でもよい。この構成によれば、当て布が左右方向の中央に維持され易くなるので、陰茎、陰嚢を安定的に中央に保持することができる。
【００１５】
また、本体身頃は、着用者の臀部を覆う後身頃を備えており、本体身頃の中央部及び当て布は、陰茎及び陰嚢を収容するように前方に膨出するように形成され、本体身頃の後身頃の下端部と中央部の下端部とを接合する股下接合部を有し、当該股下接合部に当て布の下端部が接合され、着用者の立位状態において、股下接合部は、左右方向の中央の最下点を通るように延在する、構成でもよい。
【００１６】
この構成の男性用下半身衣類によれば、本体身頃の中央部及び当て布が、前方に膨出するように、立体的に形成されている。また、当て布の下端部が、左右方向の中央における最下点で本体身頃に接合されている。そのため、当て布によって下方から包み込むように、陰茎、陰嚢を保持することができる。
【発明の効果】
【００１７】
本発明によれば、立位から着座状態への姿勢変化の際に、陰茎、陰嚢を左右方向の中央に保持し、陰茎または陰嚢がずれてしまうことを抑制可能な男性用下半身衣類を提供することができる。
【図面の簡単な説明】
【００１８】
【図１】本発明の第１実施形態に係るパンツを正面側から示す斜視図である。
【図２】本発明の第１実施形態に係るパンツの前身頃及び当て布を肌側から示す図である。
【図３】本発明の第１実施形態に係るパンツの後身頃を表側から示す図である。
【図４】本発明の第１実施形態に係るパンツの股下縫合部及びその周辺部を肌側から示す図である。
【図５】本発明の第１実施形態に係るパンツの着用状態（立位）を示す断面図である。
【図６】本発明の第１実施形態に係るパンツの着用状態（立位から着座状態へ姿勢変化する途中の状態）を示す断面図である。
【図７】本発明の第２実施形態に係るパンツの前身頃及び当て布を肌側から示す図である。
【図８】本発明の第３実施形態に係るパンツの前身頃及び当て布を肌側から示す図である。
【図９】本発明の第４実施形態に係るパンツの前身頃及び当て布を肌側から示す図である。
【図１０】立位から着座への姿勢変化の様子を示す側面図である。
【発明を実施するための形態】
【００１９】
以下、本発明による男性用下半身衣類の好適な実施形態について図面を参照しながら説明する。なお、図面の説明において同一または相当要素には同一の符号を付し、重複する説明は省略する。また、図２に示すように、ＸＹＺ座標系を設定し、Ｘ，Ｙ，Ｚを説明に用いている。Ｚ方向は、通常の着用状態における上下方向、Ｘ方向は、通常の着用状態における左右方向、Ｙ方向は、通常の着用状態における前後方向を示している。
【００２０】
（第１実施形態）
図１〜図３に示す本実施形態のパンツ１０（男性用下半身衣類）は、着用者の下腹部を覆う前身頃１１と、着用者の臀部を覆う後身頃１２と備えている。これらの前身頃１１及び後身頃１２によって、パンツ１０の本体身頃１３が構成されている。このパンツ１０は、例えば、ボクサー型のパンツである。本発明の男性用下半身衣類は、ボクサー型のパンツに限定されず、例えば、トランクス型のパンツ、ブリーフ型のパンツ、ステテコなど、その他の男性用下半身衣類でもよい。
【００２１】
パンツ１０の本体身頃１３は、着用者の陰茎１０１（図５参照）および陰嚢１０２を覆うように配置されるフロント布１４（本体身頃１３の中央部）と、フロント布１４の左右両側に配置された一対の本体布１５（前脇部）と、を備えている。
【００２２】
フロント布１４の左右方向Ｘの両端部には、上下方向Ｚに延在する接ぎ線２１が形成され、フロント布１４および本体布１５が縫着されている。
【００２３】
本体布１５は、着用者の正面側から脇部を越えて、臀部側まで覆うように配置されている。パンツ１０では、図３に示すように、後中心に沿うように上下方向に延在する接ぎ線２２が形成され、左右一対の本体布１５同士は、後中心に対応する位置で、互いに縫着されている。
【００２４】
本体身頃１３の前身頃１１は、図２に示すように、フロント布１４、および着用者の脇側に配置される本体布１５の部分から成る。本体身頃１３の後身頃１２は、図３に示すように、着用者の臀部側に配置される本体布１５の部分から成る。なお、フロント布１４、本体布１５は、パンツ１０の仕様に応じて、同一の素材を用いても良いし、異なる素材を用いても良い。
【００２５】
パンツ１０の上端部には、着用者の胴体を挿通可能な開口部であるウエスト口１７が形成されている。ウエスト口１７には、適度な締め付け力を有するゴム部材等の伸縮性部材が配置されている。本体身頃１３の上端部には、接ぎ線２３が形成されて、ゴム部材等の伸縮性部材が縫着されている。
【００２６】
パンツ１０の股部には、前身頃１１と後身頃１２とが縫着され、接ぎ線２４（股下縫合部）が形成されている。接ぎ線２４は、着用者の立位状態において、パンツ１０の左右方向の中央の最下点を通るように延在していることが好ましい。
【００２７】
パンツ１０には、着用者の脚部を挿通可能な開口部である裾口１８が形成されている。裾口１８は、本体身頃１３の下端部が内側に折り返されて形成されている。裾口１８は着用者の脚部にフィットするように形成されている。裾口１８は、例えば、股下１０３よりも下方の位置に配置される。
【００２８】
フロント布１４は、上下方向Ｚにおいて、本体身頃１３の上端部（すなわち、接ぎ線２３）から股下１０３まで配置されている。フロント布１４の左右方向Ｘの幅は、陰茎１０１および陰嚢１０２に対応する大きさとなっている。
【００２９】
フロント布１４は、例えば、左右一対の布片１４Ａ，１４Ｂが縫着されて、立体的に構成されている。具体的には、フロント布１４は、陰茎１０１および陰嚢１０２を保持するために表側に膨らむように形成されている。フロント布１４は、前方に膨出するように立体的に形成されている。フロント布１４は、肌側から見て所定の深さを有する収容部として形成されている。
【００３０】
ここで、本実施形態に係るパンツ１０には、図２に示すように、フロント布１４の着用者の肌側に配置され、陰茎１０１及び陰嚢１０２を覆う当て布５０が設けられている。
【００３１】
当て布５０は、図２に示すように、フロント布１４に対応する形状となっている。当て布５０の上辺は、接ぎ線２３において、フロント布１４の上辺と縫着されている。接ぎ線２３において、当て布５０とフロント布１４とが縫着されている部分が、請求項に記載の第１の接合部２３Ａである。なお、当て布５０及びフロント布１４を接合する第１の接合部２３Ａと、フロント布１４及びウエスト口１７を接合する接ぎ線２３とは一致していない場合でもよい。第１の接合部２３Ａが、接ぎ線２３に隣接して形成されている構成でもよい。
【００３２】
当て布５０の下辺は、接ぎ線２４（股下縫合部）において、フロント布１４の下辺と縫着されている。接ぎ線２４において、当て布５０とフロント布１４とが縫着されている部分が、請求項に記載の第３の接合部２４Ａである。なお、当て布５０及びフロント布１４を接合する第３の接合部２４Ａと、フロント布１４及び後身頃１２を接合する接ぎ線２４とは一致していない場合でもよい。第３の接合部２４Ａが、接ぎ線２４に隣接して形成されている構成でもよい。
【００３３】
なお、当て布５０がフロント布１４の下辺と縫着される例を挙げて説明しているが、本発明はこれに限定されるものではない。すなわち、当て布５０は、フロント布１４の下端側の部分のいずれかに縫着するものとすればよい。但し、陰茎１０１及び陰嚢１０２を充分に保持するためには、本例のようにフロント布１４の下辺と当て布５０を縫着することが好適である。
【００３４】
当て布５０の上部側の側辺５１（左右方向Ｘの端）は、接ぎ線２１において、フロント布１４の上部側の側辺と縫着されている。当て布５０の中間部の側辺５２は、接ぎ線２１において、フロント布１４の中間部の側辺と縫着されている。なお、ここでいう「中間部」とは、上下方向Ｚにおける中間の部分である。接ぎ線２１において、当て布５０とフロント布１４とが縫着されている部分が、請求項に記載の第２の接合部２１Ａである。なお、当て布５０及びフロント布１４を接合する第２の接合部２１Ａと、フロント布１４及び本体布１５を接合する接ぎ線２１とは一致していない場合でもよい。第２の接合部２１Ａが、接ぎ線２１に隣接して形成されている構成でもよい。
【００３５】
当て布５０の下部側の側辺５３は、フロント布１４に対して、遊離している。当て布５０の下部側の側辺５３は、フロント布１４に縫着されていない。当て布５０の側辺（５１〜５３）は、第２の接合部２１Ａより下方の部分が、本体身頃１３に対して遊離している。当て布５０は、第１〜第３の接合部２３Ａ，２１Ａ，２４Ａにおいて、本体身頃１３に対して縫着されているが、第１〜第３の接合部２３Ａ，２１Ａ，２４Ａ以外の領域は、縫着されていない。
【００３６】
当て布５０の下部側の側辺５３は、左右方向Ｘにおいて、フロント布１４の下部側の側辺よりも内側に配置されている。着用状態において、当て布５０の下部側の側辺５３は、図１に示すように、着用者の股下１０３、内股の始点１０６、腸きょく点１０７を結ぶ仮想線Ｌ１の内側（前中心側）に設定されることが好ましい。
【００３７】
また、当て布５０の側辺の遊離している位置の上端５４Ａ（第２の接合部の下端）は、上下方向Ｚにおいて、着用者の大転子１０４と同じ位置より上方であることが好ましい。股下１０３と大転子１０４との高低差Ｄは、成人男性で一般的に９ｃｍ程度である。当て布５０の上端５４Ａは、股下１０３よりも、例えば９ｃｍ上方の位置から下側部分が遊離していることが好ましい。
【００３８】
ここで、図１に示す領域Ｐは、着座時に太股（領域Ｐの下辺）側部分と下腹部（領域Ｐの上辺）側部分が近接する領域であり、着座時と立位姿勢時における太股側と下腹部側との間の距離変化の大きい領域である。領域Ｐは、着座時において太股側部分と下腹部側部分とが接近し、立位姿勢時において太股側と下腹部側とが離間する。
【００３９】
上記のように、当て布５０の上端５４Ａを設定することによって、側辺が距離変化の大きい領域を跨がないため、着座姿勢から立位姿勢に変化するときも、立位姿勢から着座姿勢に変化するときも当て布５０によって陰茎１０１、陰嚢１０２をしっかりと保持することができる。
【００４０】
また、パンツ１０では、当て布５０が、陰茎１０１及び陰嚢１０２を保持するために前方に膨出するように立体的に形成されている。
【００４１】
当て布５０は、左右一対の布片５５Ａ，５５Ｂによって構成されている。左右一対の布片５５Ａ，５５Ｂの隣接する端部同士が縫着されている。当て布５０は、肌側から見て、所定の深さを有するように立体的に配置され、陰茎１０１及び陰嚢１０２を保持するための膨出部を形成している。
【００４２】
図５及び図６に示すように、フロント布１４及び当て布５０は、２重構成とされて、陰茎１０１及び陰嚢１０２を収容する収容部を形成している。
【００４３】
本体身頃１３の布地としては、例えばベア天竺からなる生地を使用することが好ましい。本体身頃１３の布地と、当て布５０の布地とは、布地の伸び方向が交差するように配置してもよい。具体的には、本体身頃１３の布地は図示左右方向（周方向）が主伸縮方向となるように生地を配置し、当て布５０の布地は上下方向Ｚが主伸縮方向となるように生地を配置する。これにより、本体身頃１３を下腹部や臀部にしっかりフィットさせつつ、陰茎１０１及び陰嚢１０２をしっかり保持させることができる。
【００４４】
次に、パンツ１０を着用した場合の作用について説明する。図５及び図６を参照して、着用者が立位から着座状態へ姿勢変化する際の作用について説明する。なお、図５及び図６では、パンツ１０の位置を明確にするため、着用者の肛門１０８の位置を図示している。図５では、立位の場合のパンツ１０の断面を示している。パンツ１０は、着用者が立位の状態において、陰茎１０１及び陰嚢１０２が、フロント布１４及び当て布５０によって、収容されて保持されている。
【００４５】
図６では、立位から着座状態へ姿勢変化する際の途中の状態のパンツ１０の断面を示している。着用者の上半身が前屈みの状態になると、フロント布１４が収縮し、皺がよることになる。このとき、当て布５０は、フロント布１４に対して、遊離しているため、当て布５０と、フロント布１４とは、相対的に変位可能である。すなわち、フロント布１４及び本体布１５が収縮し、皺が発生しても、当て布５０は収縮せずに、陰茎１０１及び陰嚢１０２を安定的に保持することになる。
【００４６】
上記の構成のパンツ１０では、フロント布１４の下辺及び当て布５０の下辺が、接ぎ線２４（股下縫合部）で本体身頃１３に連結されているため、着用者の着座時にフロント布１４及び当て布５０が股下１０３側へ引っ張られる。パンツ１０において、フロント布１４及び当て布５０を股下１０３側へ引っ張る力が作用するため、フロント布１４及び当て布５０によって、陰茎１０１及び陰嚢１０２を効果的に保持することができる。このため、本体身頃１３全体のサイズに余裕を持たせ着用感をややルーズなものとしつつ、陰茎１０１及び陰嚢１０２についてはしっかりと保持することも可能である。
【００４７】
また、従来のパンツでは、着用者が立位から着座状態へ姿勢変化する際に、本体身頃１３のフロント布に皺がよってしまい、本体身頃による陰茎１０１及び陰嚢１０２の保持が緩くなり、陰茎１０１及び陰嚢１０２がずれることが考えられる。例えば、左右何れかに移動してしまう場合や、上下方向に移動してしまうおそれがある。
【００４８】
本実施形態のパンツ１０によれば、当て布５０が、本体身頃１３に対して遊離して移動可能であるため、立位から着座状態への姿勢変化の際に、本体身頃１３のフロント布１４に皺がよった場合であっても、当て布５０が確実に陰茎１０１及び陰嚢１０２を保持することができる。フロント布１４がずれても、当て布５０の着用者に対する位置変化が抑制されるので、当て布５０が陰茎１０１および陰嚢１０２に対して、密着した状態を維持することができる。陰茎１０１及び陰嚢１０２が揺れたり、動き易くなったりすることによって変位することが抑制される。これにより、陰茎１０１及び陰嚢１０２の納まりが良くない位置に保持され、または付勢されることが防止され、着用者が感じる着用感の低下を防止することができる。
【００４９】
パンツ１０では、接ぎ線２４（股下縫合部）が、パンツ１０の左右方向の中央の最下点を通るように形成され、この接ぎ線２４に、当て布５０の下辺が縫着されているので、陰嚢１０２を下方から包み込むように、保持することができる。従来のパンツでは、陰嚢１０２を十分に包み込むことができず、圧迫感を与えることがあった。
【００５０】
（第２実施形態）
次に、図７を参照して、本発明の第２実施形態に係るパンツ１０Ｂについて説明する。図７に示す第２実施形態のパンツ１０Ｂが、第１実施形態のパンツ１０と違う点は、当て布５０Ｂの形状が異なる点、および当て布５０Ｂの縫着部（２３Ｂ）が異なる点である。なお、第２実施形態のパンツ１０Ｂの説明において、上記第１実施形態のパンツ１０と同様の説明は省略する。
【００５１】
パンツ１０Ｂの当て布５０Ｂでは、上辺の左右方向の中央に切欠き部５５Ｃが形成されている。当て布５０Ｂの上辺の切欠き部５５Ｃは、平面視において、内側（下方）にくぼむように、湾曲している。
【００５２】
当て布５０Ｂの上辺は、切欠き部５５Ｃ以外の部分が、接ぎ線２３において、フロント布１４の上辺と縫着されている。接ぎ線２３において、当て布５０Ｂとフロント布１４とが縫着されている部分が、請求項に記載の第１の接合部２３Ｂである。
【００５３】
第２実施形態に係るパンツ１０Ｂでは、当て布５０Ｂの上辺の中央部に切欠き部５５Ｃが形成され、この切欠き部５５Ｃを形成する縁は、フロント布１４に縫着されていない。
【００５４】
このように切欠き部を上辺中央部に設ける構成とする方が、切欠き部を設けない構成よりも陰茎１０１、陰嚢１０２を左右方向に付勢しつつ保持するため、陰茎１０１及び陰嚢１０２が中央部から左右にずれ難い。このため、陰茎１０１、陰嚢１０２を安定的に中央部に保持し易くなる。
【００５５】
（第３実施形態）
次に、図８を参照して、本発明の第３実施形態に係るパンツ１０Ｃについて説明する。図８に示す第３実施形態のパンツ１０Ｃが、第１実施形態のパンツ１０と違う点は、当て布５０Ｃの形状が異なる点、および当て布５０Ｃの縫着部（２３Ｃ，２１Ｃ）が異なる点である。なお、第３実施形態のパンツ１０Ｃの説明において、上記実施形態のパンツ１０と同様の説明は省略する。
【００５６】
当て布５０Ｃの上部側の側辺５１Ｃは、左右方向Ｘにおいて、フロント布１４の上部側の側辺よりも内側に配置されている。当て布５０Ｃの上部側の側辺５１Ｃは、フロント布１４及び本体布１５に対して、遊離している。
【００５７】
当て布５０Ｃの上辺は、接ぎ線２３において、フロント布１４の上辺と縫着されている。接ぎ線２３において、当て布５０Ｃとフロント布１４とが縫着されている部分が、請求項に記載の第１の接合部２３Ｃである。パンツ１０Ｃでは、上部側の側辺５１Ｃが、フロント布１４の上部側の側辺よりも内側に形成されているので、図２に示す第１の接合部２３Ａと比較して、第１の接合部２３Ｃが短くなっている。
【００５８】
当て布５０Ｃの中間部の側辺５２は、接ぎ線２１において、フロント布１４の中間部の側辺と縫着されている。接ぎ線２１において、当て布５０Ｃとフロント布１４とが縫着されている部分が、請求項に記載の第２の接合部２１Ｃである。
【００５９】
第３実施形態に係るパンツ１０Ｃでは、当て布５０Ｃの上部側の側辺５１Ｃが、フロント布１４の側辺よりも内側に形成され、フロント布１４に縫着されていない。このように、当て布５０Ｃの側辺の縫着部を短くすることで、フロント布１４に対する当て布５０Ｃの相対的な移動量を増やすことができる。これにより、フロント布１４に発生した皺の影響を受け難くすることで、着用者に対する当て布５０Ｃの変位を抑制し、安定的に陰茎１０１および陰嚢１０２を保持することができる。
【００６０】
（第４実施形態）
次に、図９を参照して、本発明の第４実施形態に係るパンツ１０Ｄについて説明する。図９に示す第４実施形態のパンツ１０Ｄが、第３実施形態のパンツ１０Ｃと違う点は、当て布５０Ｄの形状が異なる点、および当て布５０Ｄの縫着部（２３Ｄ）が異なる点である。なお、第４実施形態のパンツ１０Ｄの説明において、上記実施形態のパンツ１０と同様の説明は省略する。
【００６１】
パンツ１０Ｄの当て布５０Ｄでは、上辺の左右方向の中央に切欠き部５５Ｃが形成されている。当て布５０Ｄの上辺の切欠き部５５Ｃは、平面視において、内側（下方）にくぼむように、湾曲している。
【００６２】
当て布５０Ｄの上部側の側辺５１Ｃは、左右方向Ｘにおいて、フロント布１４の上部側の側辺よりも内側に配置されている。当て布５０Ｄの上部側の側辺５１Ｃは、フロント布１４に対して、遊離している。
【００６３】
当て布５０Ｄの上辺は、切欠き部５５Ｃおよび左右方向の両端部以外の部分が、接ぎ線２３において、フロント布１４の上辺と縫着されている。接ぎ線２３において、当て布５０Ｄとフロント布１４とが縫着されている部分が、請求項に記載の第１の接合部２３Ｄである。
【００６４】
このような構成の当て布５０Ｄを備えたパンツ１０Ｄでもよい。パンツ１０Ｄでは、第３実施形態のパンツ１０Ｃと比較して、第１の接合部２３Ｄが短いので、当て布５０Ｄのフロント布１４に対する相対的な移動量を十分に確保することができる。そのため、フロント布１４に皺が発生した場合にあっても、フロント布１４の皺の影響を受けず、安定的に、陰茎１０１および陰嚢１０２を保持することができる。
【００６５】
以上、本発明をその実施形態に基づき具体的に説明したが、本発明は、上記実施形態に限定されるものではない。
【００６６】
上記実施形態では、第２の接合部２１Ａ，２１Ｃは、上下方向に連続して形成されているが、上下方向に複数に分割されていてもよい。当て布の側辺において、切欠き部が設けられ、この切欠き部の上部および下部に分割されて、第２の接合部が形成されている構成でもよい。
【００６７】
また、当て布の下部側の側辺５３は、接ぎ線２１よりも内側に配置されていない構成でもよい。例えば、接ぎ線２１上に、下部側の側辺５３が配置されていてもよい。下部側の側辺５３が、本体身頃１３に対して遊離していればよい。
【００６８】
また、図４に示すように、当て布５０の下辺の長さ（第３の接合部２４Ａの長さ）は、フロント布１４の下辺の長さよりも短くなっていてもよく、同じ長さでもよい。
【００６９】
また、上記実施形態では、前身頃１１において、フロント布１４（中央部）と本体布１５（前脇部）とが別布で形成されている構成について説明しているが、フロント布１４と本体布１５とが別布で形成されていない構成でもよい。例えば、フロント布１４の布片１４Ａ（１４Ｂ）と、本体布１５とが１枚の布地で形成されているものでもよい。
【符号の説明】
【００７０】
１０，１０Ｂ，１０Ｃ，１０Ｄ…パンツ（男性用下半身衣類）
１１…前身頃
１２…後身頃
１３…本体身頃
１４…フロント布（本体身頃の中央部）
１５…本体布（前脇部）
１７…ウエスト口
１８…裾口
２１Ａ，２１Ｃ…第２の接合部
２３Ａ，２３Ｂ，２３Ｃ，２３Ｄ…第１の接合部
２４Ａ…第３の接合部
５０，５０Ｂ，５０Ｃ…当て布
５１…上部側の側辺
５２…中間部の側辺
５３…下部側の側辺
１０１…陰茎
１０２…陰嚢
１０３…股下
１０４…大転子
１０５…鼠蹊溝
１０６…内股の始点
１０７…腸きょく点
１０８…肛門
【図１】
0005267642.tif 000002
【図２】
0005267642.tif 000003
【図３】
0005267642.tif 000004
【図４】
0005267642.tif 000005
【図５】
0005267642.tif 000006
【図６】
0005267642.tif 000007
【図７】
0005267642.tif 000008
【図８】
0005267642.tif 000009
【図９】
0005267642.tif 000010
【図１０】
0005267642.tif 000011